(57)【要約】【課題】  低コストで簡易に十文字状の紐を供給できる十文字紐の供給装置及び結束紐を提供する。【解決手段】  ４本の紐を玉状に丸めた玉巻状の紐（結束紐）１０と、結束紐を収容する蓋付ケース２０とを備え、蓋付ケースの一の面２２には切込み部２２aが形成され、４本の紐１２を合わせて蓋付ケース内から切込み部を通って外側に表出させるとともに、切込み部に４本の紐１２を係止可能である。【選択図】    図１
2005298030.tif 000002
【特許請求の範囲】
【請求項１】
４本の紐を玉状に丸めた玉巻状の紐、ロール状テープ紐を同軸に４本合わせたロール状テープ紐群、紐の長手方向に延びる切込みが互いに平行に３つ設けられた１本のロール状テープ紐、４本の紐を厚み方向に重ねて軸まわりに巻回してなる１本のロール状テープ紐、又はそれぞれ別個の４本の玉巻状の紐若しくは４本のロール状テープ紐からなる結束紐と、該結束紐を収容する蓋付ケースとを備え、前記蓋付ケースの一の面に係止部が形成され、前記４本の紐を合わせて前記蓋付ケース内から前記係止部を通って外側に表出させるとともに、前記係止部に前記４本の紐を係止可能であることを特徴とする十文字紐の供給装置。
【請求項２】
前記蓋付ケースの内部に、前記一の面に平行な方向に押さえ板を備え、前記結束紐は前記押さえ板と、前記蓋付ケースの内面のうち前記一の面に対向する面とで囲まれる内部空間に収容されることを特徴とする請求項１記載の十文字紐の供給装置。
【請求項３】
請求項１又は２記載の十文字紐の供給装置に用いられ、４本の紐を玉状に丸めた玉巻状の紐、ロール状テープ紐を同軸に４本合わせたロール状テープ紐群、紐の長手方向に延びる切込みが互いに平行に３つ設けられた１本のロール状テープ紐、又は４本の紐を厚み方向に重ねて軸まわりに巻回してなる１本のロール状テープ紐、のいずれかからなることを特徴とする結束紐。
【請求項４】
４本の紐を玉状に丸めた玉巻状の紐、ロール状テープ紐を同軸に４本合わせたロール状テープ紐群、紐の長手方向に延びる切込みが互いに平行に３つ設けられた１本のロール状テープ紐、又は４本の紐を厚み方向に重ねて軸まわりに巻回してなる１本のロール状テープ紐、のいずれかからなることを特徴とする結束紐。
【請求項５】
さらに係止部を備え、４本の紐の端部が前記係止部で係止されていることを特徴とする請求項４記載の結束紐。
【発明の詳細な説明】
【技術分野】
【０００１】
本発明は、新聞や雑誌などを縛るのに好適に用いられる十文字紐の供給装置及び結束紐に関する。
【背景技術】
【０００２】
家庭やオフィスで書類、雑誌、新聞紙などをひとまとめにする場合、ビニール紐や麻紐で縛るのが通例である。この作業は一本の紐を用い、結束対象物に紐を十文字に巻いた後、ばらけそうになる対象物を引っくり返す必要があり、力の弱い婦女子にとっては作業が困難になっている。
そこで、新聞ストッカーの底面上に十文字のガイド溝を設け、この溝に結束用のヒモを十文字に置いた上から新聞を重ねることで、新聞を箱に入れたまま、後から梱包できる技術が開示されている（例えば、特許文献１参照）。
又、予め十文字状に成形された梱包テープにより、新聞、古紙などを手間をかけることなく十文字に結束可能な技術も開示されている（例えば、特許文献２参照）。
【０００３】
【特許文献１】特開2003-160105号公報
【特許文献２】特開2001-130623号公報
【発明の開示】
【発明が解決しようとする課題】
【０００４】
しかしながら、上記特許文献１記載の技術の場合、新聞ストッカーを常時使用しないと結束ができず汎用性に欠ける。又、上記特許文献２記載の技術の場合、特殊な十文字紐を用いるため、紐の製造コストが嵩み、紐の入手も容易でないという問題がある。特に、新聞販売等の販促物として結束紐を配布しようとする場合、低コストで簡易なアイテムが必要である。
本発明は上記の課題を解決するためになされたものであり、低コストで簡易に十文字状の紐を供給できる十文字紐の供給装置及び結束紐の提供を目的とする。
【課題を解決するための手段】
【０００５】
上記した目的を達成するために、本発明の十文字紐の供給装置は、４本の紐を玉状に丸めた玉巻状の紐、ロール状テープ紐を同軸に４本合わせたロール状テープ紐群、紐の長手方向に延びる切込みが互いに平行に３つ設けられた１本のロール状テープ紐、４本の紐を厚み方向に重ねて軸まわりに巻回してなる１本のロール状テープ紐、又はそれぞれ別個の４本の玉巻状の紐若しくは４本のロール状テープ紐からなる結束紐と、該結束紐を収容する蓋付ケースとを備え、前記蓋付ケースの一の面に係止部が形成され、前記４本の紐を合わせて前記蓋付ケース内から前記係止部を通って外側に表出させるとともに、前記係止部に前記４本の紐を係止可能であることを特徴とする。
このようにすると、蓋付ケースの外側に４本の紐がまとめて表出され、かつ、ばらけないようケースの一面に係止されているので、この４本紐の一端を結ぶことにより、結び目を中心に十文字状の紐を得ることができる。そして、紐をさらに引き出してカットすれば、簡易な方法で十文字紐が供給される。
【０００６】
前記蓋付ケースの内部に、前記一の面に平行な方向に押さえ板を備え、前記結束紐は前記押さえ板と、前記蓋付ケースの内面のうち前記一の面に対向する面とで囲まれる内部空間に収容されることが好ましい。
このようにすると、ケース内で結束紐が動いて絡まる等の不具合がなく、紐が安定供給される。
【０００７】
本発明の結束紐は、前記十文字紐の供給装置に用いられ、４本の紐を玉状に丸めた玉巻状の紐、ロール状テープ紐を同軸に４本合わせたロール状テープ紐群、紐の長手方向に延びる切込みが互いに平行に３つ設けられた１本のロール状テープ紐、４本の紐を厚み方向に重ねて軸まわりに巻回してなる１本のロール状テープ紐、のいずれかからなることを特徴とする。
【０００８】
又、本発明の結束紐は、４本の紐を玉状に丸めた玉巻状の紐、ロール状テープ紐を同軸に４本合わせたロール状テープ紐群、紐の長手方向に延びる切込みが互いに平行に３つ設けられた１本のロール状テープ紐、４本の紐を厚み方向に重ねて軸まわりに巻回してなる１本のロール状テープ紐、のいずれかからなることを特徴とする。
このようにすると、結束紐の一端から４本の紐が表出しているので、４本紐の一端を結ぶことにより、結び目を中心に十文字状の紐を得ることができる。そして、紐をさらに引き出してカットすれば、簡易な方法で十文字紐が供給される。
【０００９】
前記結束紐がさらに係止部を備え、４本の紐の端部が前記係止部で係止されていると、４本の紐がばらばらにならず、まとまっているので好ましい。
【発明の効果】
【００１０】
本発明によれば、低コストで簡易に十文字状の紐を供給できるので、新聞等の結束時の作業性が向上する。又、低コストなため販促品等に利用できる。
【発明を実施するための最良の形態】
【００１１】
＜十文字紐の供給装置＞
以下、本発明に係る十文字紐の供給装置の実施の形態について説明する。
【００１２】
＜第１の実施形態＞
本実施形態の十文字紐の供給装置を図１、図２を参照して説明する。図１において、十文字紐の供給装置３０は、４本の紐を玉状に丸めた玉巻状の紐（結束紐）１０、玉巻状の紐１０を収容する蓋付ケース２０とを備え、蓋付ケースの一の面２２には切込み部（係止部）２２ａが形成され、４本の紐１２を合わせて蓋付ケース２０内から切込み部２２aを通って外側に表出させるとともに、切込み部２２aに４本の紐を係止可能である。なお、切込み部２２aの外側には、作業者が４本の紐１２を結んでできた結び目１７が形成され、結び目より外側では４本の紐１２がそれぞれ紐１４ａ〜１４ｄに分かれている。又、玉巻状の紐は４本の紐１２を丸めたものであるが、紐１２を構成する各紐１４ａ〜１４ｄは撚っていない。
なお、玉巻状の紐は、ＰＰ（ポリプロピレン）紐とも称される。
【００１３】
蓋付ケース２０は箱形をなし、ケース内部には、一の面２２に平行な方向に押さえ板２６が備えられ、玉巻状の紐１０が押さえ板２６と、一の面に対向する面２４とで囲まれる内部空間に収容されている。そして、玉巻状の紐１０から合わせて引張り出された４本の紐１２は、押さえ板２６の上方を通って切込み部２２aへ延び、切込み部２２aからそれぞれ４本の紐１４ａ〜１４ｄにばらされて外側に供給される。押さえ板２６は、紐が引張り出される際に玉巻状の紐１０が切込み部２２aの方向へ動くのを防止する。なお、図示しないが、蓋付ケース２０の内部に、用具（紐を切断するカッター、ハサミ、結束に用いるガムテープ等）の収納部を備えてもよい。
【００１４】
図２は、蓋付ケース２０に玉巻状の紐１０を収容する態様を示す。この図において、蓋付ケース２０は、上面が開口する本体２７と、開口部を覆う蓋２８とを備え、本体２７の側面上部には蓋２８を固定する固定片２７ａが形成されている。そして、一の面２２には、側面上部から下方へ延びる切込み部２２aが形成され、切込み部２２aの中心付近には円形の孔２２ｂが穿設されている。４本の紐１２は孔２２ｂを挿通して外側へ表出している。
【００１５】
次に、十文字紐の供給装置３０を用い、十文字紐を供給する態様について図３を参照して説明する。まず、４本の紐１４ａ〜１４ｄを外側へ引き出し、適当な長さ（例えば、結束物の縦と横の長さに２０ｃｍを加えた長さ）になったところで、４本の紐の端部でこれれらをまとめて結び目１７を形成し、他の端をカットする（図３（ａ））。次に、供給装置３０側に残った４本の紐１４ａ〜１４ｄの端部でこれらをまとめ、同様に結び目１７Ｘを形成する。そして、４本の紐１２を切込み部２２aに挟んで係止しておく（図３（ｂ））。
【００１６】
一方、カットされた４本の紐１４ａ〜１４ｄは、結び目１７を中心にして十文字状をなすので、結び目１７を中心に各４本の紐１４ａ〜１４ｄを広げ、その上に結束物１００を載せる（図３（ｃ））。この状態で、各４本の紐１４ａ〜１４ｄを結束物１００の上方に向かって沿わせ、上方でこれらを結ぶことで、結束物１００を十文字に結束することが容易にできる（図３（ｄ））。
【００１７】
＜第２の実施形態＞
本実施形態の十文字紐の供給装置を図４、図５を参照して説明する。なお、図４において、上記第１の実施形態の十文字紐の供給装置と同一の構成部分については、同一の符号を付して説明を省略する。
図４において、十文字紐の供給装置３１は、結束紐の態様が上記第１の実施形態の場合と異なっている。つまり、結束紐は、ロール状テープ紐を同軸に４本合わせたロール状テープ紐群５１から構成され、ケース外側へ各４本の紐５１ａ〜５４ａが表出している。
なお、ロール状テープ紐は、細長いテープ紐を軸まわりに巻回してロール状にしたものである。
【００１８】
図５は、ロール状テープ紐群５１の構成を示す。この図において、ロール状テープ紐群５１は、ロール状テープ紐５１〜５４を同軸に４本合わせてなり、各ロールから４本の紐５１ａ〜５４ａがそれぞれ分岐している。この実施形態の場合、各紐を引き出す際に絡まることが低減される。
【００１９】
＜第３の実施形態＞
本実施形態の十文字紐の供給装置を図６、図７を参照して説明する。なお、図６、図７において、上記第１の実施形態の十文字紐の供給装置と同一の構成部分については、同一の符号を付して説明を省略する。
図６において、十文字紐の供給装置３２は、結束紐の態様が上記第１の実施形態の場合と異なっている。つまり、結束紐は、それぞれ別個に束ねられた４本の玉巻状の紐６１〜６４から構成され、ケース外側へ各４本の紐６１ａ〜６４ａが表出している。
【００２０】
図７は、蓋付ケース２０に各玉巻状の紐６１〜６４を収容する態様を示す。この図において、４本の玉巻状の紐６１〜６４は、面２４と押さえ板２６とで囲まれるケース内部空間に収容される。各玉巻状の紐６１〜６４の収容に先立ち、あらかじめ４本の紐６１ａ〜６４ａ同士を結んで結び目６７を形成しておくと、紐がばらけないので好ましい。なお、本実施形態は、通常市販されている玉巻状の紐を用いることができるので利便性が高く、コストも低減できる。
【００２１】
なお、４本紐の一端を結ぶ代わりに、クリップや所定の結束器具を用いて４本紐をまとめてもよく、同様にして十文字状の紐を得ることができる。又、係止部としては、上記した縦方向の１本の切込み部２２ａの他、中心から放射状に複数の切込みを設けることもできる。この場合、中心部分から紐を通すことができる。
又、結束紐として、１本のロール状テープ紐であって紐の長手方向に延びる切込みが互いに平行に３つ設けられたロール状テープ紐を用いることもできるが、これについては後述する。
【００２２】
＜結束紐＞
以下、本発明に係る結束紐の実施の形態について説明する。なお、以下の結束紐は、上記した十文字紐の供給装置に用いられるものであってもよく、結束紐単独で用いてもよい。又、結束紐単独で用いる場合、後述するような係止部を含んだ構成としてもよく、係止部を含まなくともよい。
いずれにしても、本発明に係る結束紐から十文字紐を容易に形成することができる。
【００２３】
＜第１の実施形態＞
本実施形態の結束紐を図８を参照して説明する。図８において、結束紐２００は、４本の紐２０１〜２０４を玉状に丸めてなり、又、リング状の係止部（リング）３００を含んで構成されている。そして、４本の紐２０１〜２０４の端部がリング３００を通されて係止されている。そして、作業者は、十文字紐が必要な際は４本の紐２０１〜２０４の端部を結んで結束紐２００から切り離すことで、十文字紐を容易に形成することができる。
【００２４】
＜第２の実施形態＞
本実施形態の結束紐を図９を参照して説明する。図９において、結束紐２００は上記第１の実施形態に係る結束紐と同一であるが、結束紐２００全体がプラスチックフィルム３０２でシュリンク包装されている。そして、紐２０１〜２０４の端部はプラスチックフィルム３０２の開口３０２ａから外側に表出し、開口３０２ａが係止部として機能している。このように、本発明に係る結束紐において、シュリンク包装を係止部として用いることができる。
【００２５】
＜第３の実施形態＞
本実施形態の結束紐を図１０を参照して説明する。図１０において、結束紐２１０は、ロール状テープ紐２１０ａ〜２１０ｄを軸２１５と同軸に４本合わせたロール状テープ紐群からなり、又、串状の係止部（串部）３０４を含んで構成されている。そして、４本の紐２１１〜２１４の端部が串部３０４を通されて係止されている。なお、ロール状テープ紐２１０ａ〜２１０ｄがそれぞれ別個の軸を有し、各軸を同心に結合してもよく、又、共通の１本の軸を用い、これに各ロール状テープ紐２１０ａ〜２１０ｄが巻回されていてもよい。
【００２６】
＜第４の実施形態＞
本実施形態の結束紐を図１１を参照して説明する。図１１において、結束紐２２０は、紐の長手方向に延び互いに平行な３つの切込み（ミシン目）２２０ａ〜２２０ｃが設けられた１本のロール状テープ紐からなり、又、串状の係止部（串部）３１４を含んで構成されている。ロール状テープ紐の幅は１０ｃｍ程度とすることができる。そして、１本の端部が串部３１４を通されることで、ミシン目２２０ａ〜２２０ｃから４本の紐２２１〜２２４に分離されるようになっている。なお、図１２に示すように、ミシン目の分離が容易になるよう、串部３１４の柱に突出部３１４ａを設け、紐を引き出す際にミシン目２２０ａが突出部３１４ａで押し広げられるようにしてもよい。
【００２７】
＜第５の実施形態＞
本実施形態の結束紐を図１３を参照して説明する。図１３において、結束紐２３０は、１本のロール状テープ紐からなるが、４本の紐２３１〜２３４を厚み方向に重ねて軸まわりに巻回してなり、又、上記と同一の係止部（リング）３００を含んで構成されている。そして、４本の紐２３１〜２３４の端部がリング３００に係止されている。
【図面の簡単な説明】
【００２８】
【図１】本発明の第１の実施形態の十文字紐の供給装置を示す図である。
【図２】蓋付ケースに玉巻状の紐を収容する態様を示す図である。
【図３】十文字紐を供給する態様を示す図である。
【図４】本発明の第２の実施形態の十文字紐の供給装置を示す図である。
【図５】ロール状テープ紐の構成を示す図である。
【図６】本発明の第３の実施形態の十文字紐の供給装置を示す図である。
【図７】蓋付ケースに各玉巻状の紐を収容する態様を示す図である。
【図８】本発明の第１の実施形態の結束紐を示す図である。
【図９】本発明の第２の実施形態の結束紐を示す図である。
【図１０】本発明の第３の実施形態の結束紐を示す図である。
【図１１】本発明の第４の実施形態の結束紐を示す図である。
【図１２】図１１の部分拡大図である。
【図１３】本発明の第５の実施形態の結束紐を示す図である。
【符号の説明】
【００２９】
１０    玉巻状の紐（結束紐）
１２    ４本の紐
２０    蓋付ケース
２２    蓋付ケースの一の面
２２ａ  切込み部
【図１】
2005298030.tif 000003
【図２】
2005298030.tif 000004
【図３】
2005298030.tif 000005
【図４】
2005298030.tif 000006
【図５】
2005298030.tif 000007
【図６】
2005298030.tif 000008
【図７】
2005298030.tif 000009
【図８】
2005298030.tif 000010
【図９】
2005298030.tif 000011
【図１０】
2005298030.tif 000012
【図１１】
2005298030.tif 000013
【図１２】
2005298030.tif 000014
【図１３】
2005298030.tif 000015